(57)【要約】  ケース内の支持部に対し略平行に配置され、かつ左右の両側面にあって板幅方向の一端側を回動可能に枢支された複数のフィンと、２以上のフィンを連動させるリンク機構及びリンク機構に連携されたスイッチとを備え、フィンが互いに略平行となる平行送風モードと、２以上のフィンを互いに反対方向に回動した拡散送風モードとをスイッチを介して調整切換可能な風向調整装置である。要部は、スイッチが中間フィンに移動可能に組み付けられ、又、リンク機構が中間フィンの両隣に配されている第１フィンの板幅方向の他端側に対応する一端側をそれぞれ回動自在に連結し、かつ対応する他端側をスイッチにそれぞれ回動自在に連結している第１リンクを有している構成にある。
2015087975.tif 000002
【特許請求の範囲】
【請求項１】
空気を前側開口部より外へ吹き出すよう設定されたケースと、前記ケース内の対向した支持部に対し略平行に配置され、かつ左右の両側面にあって板幅方向の一端側を回動可能に枢支された複数のフィンと、前記フィンの２以上を連動させるリンク機構及び前記リンク機構に連携されたスイッチとを備え、前記フィンが互いに略平行となる平行送風モードと、前記フィンの２以上を互いに反対方向に回動した拡散送風モードとを前記スイッチを介して調整切換可能な風向調整装置であって、
前記スイッチは前記複数のフィンのうち中間に配置された中間フィンに移動可能に組み付けられると共に、前記リンク機構は前記中間フィンの両隣に配されている第１フィンの板幅方向の他端側に対応する一端側をそれぞれ回動自在に連結し、かつ対応する他端側を前記スイッチにそれぞれ回動自在に連結している２つの第１リンクを有していることを特徴とする風向調整装置。
【請求項２】
空気を前側開口部より外へ吹き出すよう設定されたケースと、前記ケース内の対向した支持部に対し上下の両端側を回動可能に枢支された複数のフィンと、前記フィンの２以上を連動させるリンク機構及び操作用ノブとを備え、前記フィンが互いに略平行となる平行送風モードと、前記フィンの２以上を互いに反対方向に回動した拡散送風モードとを前記ノブを介して調整切換可能な風向調整装置であって、
前記ノブは前記複数のフィンのうち中間に配置された中間フィンに連結された状態で前後及び左右に移動可能に支持されると共に、前記リンク機構は前記中間フィンの両隣に配されている第１フィンに対応する一端側をそれぞれ回動自在に連結し、かつ対応する他端側を前記中間フィンにそれぞれ回動自在に連結している２つの第１リンクを有していることを特徴とする風向調整装置。
【請求項３】
前記複数のフィンは前記第１フィンの両隣のうち、前記中間フィンと反対側に配置された第２フィンを有していると共に、前記リンク機構は前記第２フィンの板幅方向の他端側と前記第１フィンの板幅方向の他端側に異なる端部をそれぞれ回動自在に連結している２つの第２リンクを有していることを特徴とする請求項１に記載の風向調整装置。
【請求項４】
前記スイッチは、押し操作により前記中間フィンの板幅方向である後方移動して前記第１フィン、又は、前記第１フィン及び第２フィンを前記リンク機構を介して平行送風モードから拡散送風モードに切り換えることを特徴とする請求項１又は３に記載の風向調整装置。
【請求項５】
前記スイッチは、前記後方移動した状態にて、引き操作により前記中間フィンの板幅方向である前方移動することで、或いは、前記第１フィン又は前記第２フィンを直に回動することでも拡散送風モードから平行送風モードに切換可能であることを特徴とする請求項４に記載の風向調整装置。
【請求項６】
前記第１フィン及び前記第２フィンは前記第１リンクや前記第２リンクに設けられた軸孔に嵌合する軸部を形成していると共に、前記中間フィンは前記軸部に代えて前記第１リンクの対応する端部を移動可能に配置する切欠部を形成していることを特徴とする請求項３から５の何れか１に記載の風向調整装置。
【請求項７】
前記複数のフィンは前記第１フィンの両隣のうち、前記中間フィンと反対側に配置された第２フィンと、前記第２フィンの両隣のうち、前記第１フィンと反対側に配置された第３フィンとを有し、
前記リンク機構は前記第１フィンと、前記第２フィンと、前記第３フィンとをそれぞれ回動自在に連結している２つの第２リンクを有していることを特徴とする請求項２に記載の風向調整装置。
【請求項８】
前記ケース内の対向した第２支持部に対し左右の両端側が回動可能に枢支された横型フィンを有し、前記ノブは前記横型フィンに対し前後及び左右に移動可能に支持されており、前方移動操作により前記第１フィン、又は、前記第１フィン及び前記第２フィン、又は、前記第１フィンから前記第３フィンを前記リンク機構を介して平行送風モードから拡散送風モードに切り換えることを特徴とする請求項７に記載の風向調整装置。
【請求項９】
前記ノブは、前記前方移動した状態にて、後方への押し操作により前記第１フィン、又は、前記第１フィン及び前記第２フィン、又は、前記第１フィンから前記第３フィンを前記リンク機構を介して拡散送風モードから前記支持部と略平行となる平行送風モードに切り換えると共に、その状態にて左又は右側への移動操作により前記各フィンを略同方向へ回動して前記支持部と非平行となる傾斜送風モードに切り換えることを特徴とする請求項７又は８に記載の風向調整装置。
【発明の詳細な説明】
【技術分野】
【０００１】
本発明は、冷暖設備や空調設備などにおいて、前側開口部に向かう空気の流れをフィンを介して可変する風向調整装置に関し、特にフィンがリンク機構を介して可変されるようにした風向調整装置に関する。
【背景技術】
【０００２】
図１６（ａ）と（ｂ）は特許文献１の図１及び図２に開示の車両用風向調整装置を示している。この構造では、空気を前側開口部より外へ吹き出すよう設定されたケース（フレーム）１０、ケース１０内の対向した支持部（第２連結エレメント）４４に対し略平行に配置され、かつ左右の両側面にあって板幅方向の一端側をピン４２を介しそれぞれ回動可能に枢支された５つのフィン１２、１４、１６、１８、２０、前記フィンのうち４つのフィン１２、１４、１８、２０を連動させるリンク機構、及びリンク機構に連携されたスイッチとしてボタン５４や作動エレメント５２などを備え、前記フィンが互いに略平行となる図１６（ａ）の平行送風モードと、前記フィンのうち中間フィン１６を挟んだ第１フィン１４と１８、第２フィン１２と２０とが互いに反対方向に回動した図１６（ｂ）の拡散送風モードとに調整切換可能となっている。【０００３】
ここで、リンク機構は、戻しばね４０の付勢力に抗して前方に移動可能に配置された第１連結エレメント２４と、各フィン１２、１４、１６、１８、２０との間に介在されている。すなわち、この例では、リンク機構は、前記各フィンの片側面にあって板幅方向の略中間に設けられたピン２２と、第１連結エレメント２４に設けられて該ピン２２と嵌合するスロット状リンク２６、２８、３０、３２、３４とからなる。リンク２６及び２８と、リンク３２及び３４とは逆向きに傾斜した円弧溝に形成されている。そして、図１６（ａ）の平行送風モードから図１６（ｂ）の拡散送風モードに切り換えるには、ボタン５４を押すと、作動エレメント５２により第１連結エレメント２４がばね４０の付勢力に抗して前方へ移動され、ラッチ機構５６を介してその移動後の状態に維持される。この過程において、各フィン１２、１４、１６、１８、２０は、各ピン２２が対応するリンク２６、２８、３０、３２、３４の溝形状に誘導されて、拡散送風モードに切り換えられる。押しボタン５４を再び押すと、ラッチ機構５６が押しボタンを解放する結果、第１連結エレメント２４はばね４０の付勢力により元の位置に戻されると共に、各フィンは各ピン２２が対応するリンク２６、２８、３０、３２、３４に誘導されるため平行送風モードに切り換えられる。【０００４】
また、特許文献１には、以上の構造において、前記リンク機構を変更した２つの変形例が開示されている。そのうち、特許文献１の図３及び図４に開示のリンク機構は、図示しないが、下側のフィン１２及び１４が第１連結エレメント２４に対して共通ピン６２で枢支された各アームを介して回動自在に連結され、上側のフィン１８及び２０が第１連結エレメント２４に対して共通ピン６２で枢支された各アームを介して回動自在に連結され、中間のフィン１６が第１連結エレメント２４に設けられたスロット状リンク３０にピン２２を介して嵌合している。【０００５】
特許文献１の図５及び図６に開示のリンク機構は、下側のフィン１２及び１４が第１連結エレメント２４に対してリンク６０及び７０を介して回動自在に連結され、上側のフィン１８及び２０が第１連結エレメント２４に対してリンク６０及び７０を介して回動自在に連結され、２つ構成の中間フィン１６がリンクで連結されると共に第１連結エレメント２４に設けられたスロット状リンク３０にピン２２を介して嵌合している。
【先行技術文献】
【特許文献】
【０００６】
【特許文献１】特開２００２−２７７０４０号公報
【発明の概要】
【発明が解決しようとする課題】
【０００７】
上記特許文献１の構造では、各フィンがリンク機構を介して連結される比較的大きな第１連結エレメントを有し、該第１連結エレメントがフレームに対して移動可能に組み込まれる点、第１連結エレメントをばねの付勢力に抗して前方移動するボタン及び作動エレメント、更に移動後の状態を保つラッチ機構も必要となる点から複雑となり、軽量化も図り難い。【０００８】
また、リンク機構は、何れの構成でも第１連結エレメントと各フィンとを連結する構成であり、特許文献１の図１及び図２の第１連結エレメントに複数のスロット状リンクを形成する場合は良好な作動を維持し難く、特許文献１の図３及び図４の構成と特許文献１の図５及び図６の構成の場合は第１連結エレメントに加え専用リンクの数も多く、複雑で重量的にも重くなる。【０００９】
本発明の目的は、以上のような課題を解消して、風向調整に優れるだけではなく、簡易構成及び軽量化を図り易くすることにある。他の目的は、以下の内容説明のなかで明らかにする。
【課題を解決するための手段】
【００１０】
上記目的を達成するため本発明の第１観点によれば、空気を前側開口部より外へ吹き出すよう設定されたケースと、前記ケース内の対向した支持部に対し略平行に配置され、かつ左右の両側面にあって板幅方向の一端側を回動可能に枢支された複数のフィンと、前記フィンの以上を連動させるリンク機構及び前記リンク機構に連携されたスイッチとを備え、前記フィンが互いに略平行となる平行送風モードと、前記フィンのうち２以上を互いに反対方向に回動した拡散送風モードとを前記スイッチを介して調整切換可能な風向調整装置であって、前記スイッチは前記複数のフィンのうち中間に配置された中間フィンに移動可能に組み付けられると共に、前記リンク機構は前記中間フィンの両隣に配されている第１フィンの板幅方向の他端側に対応する一端側をそれぞれ回動自在に連結し、かつ対応する他端側を前記スイッチにそれぞれ回動自在に連結している２つの第１リンクを有していることを特徴としている風向調整装置が提供される。【００１１】
また、本発明の第２観点によれば、空気を前側開口部より外へ吹き出すよう設定されたケースと、前記ケース内の対向した支持部に対し上下の両端側を回動可能に枢支された複数のフィンと、前記フィンの２以上を連動させるリンク機構及び操作用ノブとを備え、前記フィンが互いに略平行となる平行送風モードと、前記フィンの２以上を互いに反対方向に回動した拡散送風モードとを前記ノブを介して調整切換可能な風向調整装置であって、前記ノブは前記複数のフィンのうち中間に配置された中間フィンに連結された状態で前後及び左右に移動可能に支持されると共に、前記リンク機構は前記中間フィンの両隣に配されている第１フィンに対応する一端側をそれぞれ回動自在に連結し、かつ対応する他端側を前記中間フィンにそれぞれ回動自在に連結している２つの第１リンクを有していることを特徴としている風向調整装置が提供される。【００１２】
以上の構成において、『中間フィン』は、本発明の第１観点による風向調整装置では、最上下段のフィンを除く意味であり、例えば、４枚構成の場合は最上下段以外のフィンつまり下から２又は３番目のフィン、５枚構成の場合は最上下段以外のフィンつまり下から２〜４番目フィンの何れか、６枚構成の場合は最上下段以外のフィンつまり下から２〜５番フィンの何れかという意味で使用している。この中間フィンは、特許文献１の図５及び図６を参照して２枚で構成することも可能である。また、『一端側』や『他端側』とは厳格な意味の一端や他端ではなく、一端や他端より中間側に変位した構成も含む意味で使用している。【００１３】
以上の本発明は、下記のように具体化されることがより好ましい。
（１）本発明の第１観点による風向調整装置において、前記複数のフィンは前記第１フィンの両隣のうち、前記中間フィンと反対側に配置された第２フィンを有していると共に、前記リンク機構は前記第２フィンの板幅方向の他端側と前記第１フィンの板幅方向の他端側に異なる端部をそれぞれ回動自在に連結している２つの第２リンクを有している構成である。この好ましい態様によれば、フィンが形態例のごとく少なくとも５枚であり、その場合は更に２つのリンクを追加すればよいため合計５つの部材にて実施できる。加えて、特許文献１のようなケース内をばねの付勢力に抗して移動する部材やラッチ機構なども不要となるため、簡易構成それによる良好な作動を実現でき、軽量化も図り易いものとなる。
（２）本発明の第１観点による風向調整装置において、前記スイッチは、押し操作により前記中間フィンの板幅方向である後方移動して前記第１フィン、又は、前記第１フィン及び第２フィンを前記リンク機構を介して平行送風モードから拡散送風モードに切り換える構成である。この好ましい態様によれば、スイッチを中間フィンの板幅方向に前後動可能に組み付けるため、スイッチ自体をコンパクト化し易く、更にスイッチ用配置空間を最小限に抑えることができる。【００１４】
（３）上記（２）の好ましい態様において、前記スイッチは、前記後方移動した状態にて、引き操作により前記中間フィンの板幅方向である前方移動することで、或いは、前記第１フィン又は前記第２フィンを直に回動することでも拡散送風モードから平行送風モードに切換可能な構成である。この好ましい態様によれば、スイッチが押されて後方移動した状態、つまり第１フィンや第２フィンの拡散送風モードにおいて、スイッチを引き操作することにより、又は、第１フィンや第２フィンを直に回動しても平行送風モードに切換可能なため、使い勝手に優れている。
（４）上記（１）乃至（３）の好ましい態様において、前記第１フィン及び前記第２フィンは前記第１リンクや前記第２リンクに設けられた軸孔に嵌合する軸部を形成していると共に、前記中間フィンは前記軸部に代えて前記第１リンクの対応する端部を移動可能に配置する切欠部を形成している構成である。この好ましい態様によれば、例えば、第１リンクの他端とスイッチとの連結部を中間フィンの切欠部に配した状態で水平送風モードとすることで連結部用の配置空間を最小限に抑えることができる。【００１５】
（５）本発明の第２観点による風向調整装置において、前記複数のフィンは前記第１フィンの両隣のうち、前記中間フィンと反対側に配置された第２フィンと、前記第２フィンの両隣のうち、前記第１フィンと反対側に配置された第３フィンとを有し、前記リンク機構は前記第１フィンと、前記第２フィンと、前記第３フィンとをそれぞれ回動自在に連結している２つの第２リンクを有している構成である。この好ましい態様によれば、フィンが７枚の場合は更に２つのリンクを追加すればよいため合計５つの部材にて実施できる。加えて、特許文献１のようなケース内をばねの付勢力に抗して移動する部材やラッチ機構なども不要となるため、簡易構成それによる良好な作動を実現でき、軽量化も図り易いものとなる。
（６）上記（５）の好ましい態様において、前記ケース内の対向した第２支持部に対し左右の両端側が回動可能に枢支された横型フィンを有し、前記ノブは前記横型フィンに対し前後及び左右に移動可能に支持されており、前方移動操作により前記第１フィン、又は、前記第１フィン及び前記第２フィン、又は、前記第１フィンから前記第３フィンを前記リンク機構を介して平行送風モードから拡散送風モードに切り換える構成である。この好ましい態様によれば、ノブが横型フィンに対し前後及び左右に移動可能に支持されているためノブの支持構造を簡略化でき、横型フィンを回動可能に支持するだけで横型フィンの姿勢に応じて更に送風態様を変化可能となる。
（７）上記（５）又は（６）の好ましい態様において、前記ノブは、前記前方移動した状態にて、後方への押し操作により前記第１フィン、又は、前記第１フィン及び前記第２フィン、又は、前記第１フィンから前記第３フィンを前記リンク機構を介して拡散送風モードから前記支持部と略平行となる平行送風モードに切り換えると共に、その状態にて左又は右側への移動操作により前記各フィンを略同方向へ回動して前記支持部と非平行となる傾斜送風モードに切り換える構成である。この好ましい態様によれば、平行送風モードと拡散送風モードとをノブの前後移動操作により切換可能、かつ、平行送風モードと傾斜送風モードとをノブの横移動操作により切換可能なことから、少ない部品で多様な送風モードを実現できる。
【発明の効果】
【００１６】
本発明の第１観点による風向調整装置では、複数のフィンのうち、２以上のフィンを連動させるリンク機構及びリンク機構に連携されたスイッチを備え、フィンが互いに略平行となる平行送風モードと、２以上のフィンを互いに反対方向に回動した拡散送風モードとを調整切換可能にする構造として、スイッチを中間フィンに移動可能に組み付ける構成と、リンク機構として中間フィンの両隣に配されている第１フィンに対応する一端側をそれぞれ回動自在に連結し、かつ対応する他端側をスイッチにそれぞれ回動自在に連結している２つの第１リンクの構成にて実施できる。一方、本発明の第２観点による風向調整装置では、複数のフィンのうち、２以上のフィンを連動させるリンク機構及操作用ノブを備え、フィンが互いに略平行となる平行送風モードと、２以上のフィンを互いに反対方向に回動した拡散送風モードとを調整切換可能にする構造として、ノブを中間フィンに連結する構成と、リンク機構として中間フィンの両隣に配されている第１フィンに対応する一端側をそれぞれ回動自在に連結し、かつ対応する他端側を中間フィンにそれぞれ回動自在に連結している２つの第１リンクの構成にて実施できる。【００１７】
すなわち、本発明の第１観点による風向調整装置では、例えば、フィンが３枚の場合だと単一のスイッチにリンク機構を構成している２つのリンクを回動可能に連結すればよいため合計３つの部材にて実施できる。一方、本発明の第２観点による風向調整装置では、例えば、フィンが３枚の場合だと中間フィンに連結される単一のノブと、中間フィンとその両隣のフィンとをリンク機構を構成している２つのリンクで連結すればよいため合計３つの部材にて実施できる。
【図面の簡単な説明】
【００１８】
【図１】本発明形態例１に係る風向調整装置の概略を示し、（ａ）は平行送風モード状態での外観図、（ｂ）は拡散送風モード状態での外観図である。
【図２】上記平行送風モード状態での風向調整装置の詳細を示し、（ａ）は上面図、（ｂ）は正面図である。
【図３】上記拡散送風モード状態での風向調整装置の詳細を示し、（ａ）は上面図、（ｂ）は正面図である。
【図４】上記風向調整装置の駆動部を構成している部材同士の関係を示す概略分解斜視図である。
【図５】（ａ）は図２（ｂ）のＡ−Ａ線模式断面図、（ｂ）は（ａ）のフィンとリンク機構及びスイッチの関係を示す要部拡大図、（ｃ）はそのリンク機構を構成している４つのリンクを示す側面図である。
【図６】（ａ）は図３（ｂ）のＡ1−Ａ1線模式断面図、（ｂ）は（ａ）のフィンとリンク機構及びスイッチの関係を示す要部拡大図、（ｃ）はリンク機構を構成している４つのリンクを示す側面図である。
【図７】風向調整装置を図５（ｂ）のＣ矢印方向から見た（又、一点鎖線のフィン３０，３１，３３，３４は図６（ｂ）のＣ１矢印方向から見た）模式図である。
【図８】上記風向調整装置を構成している各フィンの形状などを示す図である。
【図９】上記風向調整装置を構成している各リンクを示し、（ａ）は図５（ｃ）の状態での正面図、（ｂ）と（ｃ）は同状態でスイッチを連結した態様での正面と側面図、（ｄ）は（ｃ）のＤ−Ｄ線模式断面図である。
【図１０】本発明形態例２に係る風向調整装置を分解した概略分解斜視図である。
【図１１】図１０の風向調整装置を構成している主要部材同士の関係を示す概略分解斜視図である。
【図１２】図１０の風向調整装置を平行送風モード状態で示し、（ａ）は正面図、（ｂ）は（ａ）のＡ−Ａ線模式断面図、（ｃ）及び（ｄ）は（ａ）のＢ−Ｂ線模式断面図とＣ−Ｃ線模式断面図である。
【図１３】図１０の風向調整装置を拡散送風モード状態で示し、（ａ）は正面図、（ｂ）は（ａ）のＡ−Ａ線模式断面図、（ｃ）及び（ｄ）は（ａ）のＢ−Ｂ線模式断面図とＣ−Ｃ線模式断面図である。
【図１４】図１０の風向調整装置を傾斜送風モード状態で示し、（ａ）は正面図、（ｂ）は（ａ）のＡ−Ａ線模式断面図、（ｃ）及び（ｄ）は（ａ）のＢ−Ｂ線模式断面図とＣ−Ｃ線模式断面図である。
【図１５】（ａ）は図１３（ｂ）の拡大図、（ｂ）及び（ｃ）は（ａ）の状態からノブを介して横型フィンを異なる方向へ回動した状態を示す模式断面図である。
【図１６】（ａ）と（ｂ）は特許文献１の図１及び図２に開示の構造を示す図である。
【発明を実施するための最良の形態】
【００１９】
以下、本発明の形態例１と形態例２について添付した図面を参照しながら説明する。この説明では、風向調整装置の構造を組立も含めて明らかにした後、主な作動に言及する。なお、図面では発明要部を除く構成を省略したり簡略化している。【００２０】
（構造１）形態例１の風向調整装置１は、図１（ａ）〜図３（ｂ）に示されるごとく、空気を内部から外へ吹き出すよう設定されたケース２と、ケース２内で前側開口付近の左右に対向した軸受用ブラケット７Ａ，７Ｂ（７）に対し略平行に配置され、かつ左右の両側３０ａ〜３４ａ及び３０ｂ〜３４ｂ面（図８参照）にあって板幅方向の一端側を回動可能に枢支された複数（この例では５枚）の横型フィン３０〜３４（３）と、２以上のフィンを連動させるリンク機構４及びリンク機構４に連携されたスイッチ５と、ケース２内で前側開口奥側の上下に対向している軸受用ブラケット９Ａ，９Ｂ（９）に対し略平行に配置され、かつ上下の両側面にあって略中間を回動可能に枢支された複数（この例では５枚）の縦型フィン６Ａ〜６Ｅ（６）と、各フィン６Ａ〜６Ｅを連動させる連結部材９Ｃ（図４参照）及び操作用操作部材８とを備えている。【００２１】
そして、作動特徴として、縦型フィン６については、操作部材８を介して各フィン６Ａ〜６Ｅを左右に所定角だけ回動し風向きを調整切換可能となっている。横型フィン３については、各フィン３０〜３４が互いに略平行となる平行送風モードと、２以上のフィン（この例では第１フィンであるフィン３１，３３、及び第２フィンであるフィン３０，３４である。フィン３が３枚構成の例だと第１フィンであるフィン３１，３３となる）を互いに反対方向に回動した拡散送風モードとをスイッチ５を介して調整切換可能となっている。【００２２】
以上の風向調整装置１において、要部は、スイッチ５が複数のフィン３のうち中間に配置された中間フィン３２に移動可能に組み付けられる点と、リンク機構４が中間フィン３２の両隣に配されている第１フィン３１，３３の板幅方向の他端側に対応する一端４２ａ，４１ａ側（図９（ｂ）参照）をそれぞれ回動自在に連結し、かつ対応する他端４２ｂ，４１ｂ側（図９（ａ）参照）をスイッチ５にそれぞれ回動自在に連結している２つの第１リンク４１，４２を有している点と、更に複数のフィン３として第１フィン３１，３３の両隣のうち、中間フィン３２と反対側に配置された第２フィン３０，３４、及びフィン３０を第１フィン３１に、フィン３４を第１フィン３３に連動ないしは同期させるための２つの第２リンク４０，４３を有している点にある。以下の説明では、要部以外の構造については変更可能なため簡単に述べる。【００２３】
なお、ケース２を構成している本体２０及び前枠２５と、横型フィン３を構成している各フィン３０〜３４と、リンク機構４を構成している各リンク４０〜４４と、操作用スイッチ５と、縦型フィン６を構成している各フィン６Ａ〜６Ｅと、操作部材８を構成しているノブ８Ａとベース８Ｂと、ブラケット７と９ないしは各ブラケット７Ａ，７Ｂ，９Ａ，９Ｂと、連結部材９Ｃとは全て樹脂品であるが、樹脂以外でも差し支えない。【００２４】
ケース２は、図１（ａ）〜図３（ｂ）及び図５（ａ）〜（ｃ）に示されるごとく、本体２０の前側に化粧枠である前枠２５を装着した状態で内空間２４を区画形成している。本体２０は、外面にあって、後部側に設けられた係合部２１ａ，２１ｂや前後部に設けられた位置決め部２２ａ，２２ｂ、並びに取付部２３などを有し、それらを利用して車両等の設置部に装着される。内空間２４は、前後方向に開口しており、前枠２５側が空気吹出口として、後端側が空気吸入口として設定されている。前枠２５は、枠周囲に一体化された鍔部２６を有し、その鍔部２６に設けられた係合穴２７や係合片部２８ａ，２８ｂなどを介して本体２０に装着されている。【００２５】
内空間２４には、縦型フィン用のブラケット９Ａ，９Ｂが本体上下の内面に装着され、横型フィン用のブラケット７Ａ，７Ｂが本体左右の内側面に装着されている。ブラケット９Ａ，９Ｂは、図４に示されるごとく５つの軸孔９ａを対向して形成している。フィン６Ａ〜６Ｅは、上下端部にそれぞれ突出された軸部６ａを有し、ブラケット９Ａ，９Ｂに対してその各軸部６ａを対応する軸孔９ａに嵌合した状態で回動自在に支持される。また、各フィン６Ａ〜６Ｅは、上端側の段部に設けられて軸部６ａより一段下側に配された軸部６ｂを有し、それら軸部６ｂがアーム状の連結部材９Ｃに設けられた対応する軸孔９ｂにそれぞれ回動自在に嵌合されている。このため、各フィン６Ａ〜６Ｅは、操作部材８つまり中間フィン６Ｃに装着されたベース８Ｂ、及び後述する中間フィン３２に左右摺動可能に組み付けられた状態でベース８Ｂに連結されるノブ８Ａを介して左右に動かされると、連結部材９Ｃを介して全てが一体的に連動される。【００２６】
これに対し、ブラケット７Ａ，７Ｂは、 図４と図７及び図８に示されるごとく５つの軸孔７ａを対向して形成している。フィン３０〜３４は、右端部３０ａ〜３４ａ及び左端部３０ｂ〜３４ｂの各側面にそれぞれ突出された軸部３５ａ〜３９ａを有し、ブラケット７Ａ，７Ｂに対してそれら各軸部３５ａ〜３９ａを対応する軸孔７ａに嵌合した状態で、同ブラケット間に略平行に配置されると共に、回動自在に支持される。【００２７】
また、各フィン３０〜３４は、左端部３０ｂ〜３４ｂに設けられた切欠部３０ｃ〜３４ｃを有している。切欠部３０ｃ〜３４ｃのうち、切欠部３０ｃと３１ｃ及び切欠部３３ｃと３４ｃには、軸部３５ａと３６ａ及び軸部３８ａと３９ａと略平行で少し小さな軸部３５ｂと３６ｂ及び軸部３８ｂと３９ｂが設けられている。一方、中間フィン３２の切欠部３２ｃは、切欠部３０ｃ，３１ｃ，３３ｃ，３４ｃに比べて大きく形成されていると共に、軸部３５ｂ，３６ｂ，３８ｂ，３９ｂに対応する軸部が設けられていない。つまり、切欠部３２ｃは、後述する第１リンク４１，４２の対応する端部４１ｂ，４２ｂ（及びそれらの端部４１ｂ，４２ｂと連結するスイッチ５の連結部５１）を移動可能に配置する箇所として利用される。【００２８】
更に、中間フィン３２は、図８に示されるごとく、左端部３２ｂにあって切欠部３２ｃと対応する周囲部分に設けられている凹部３２ｄと、左右中間部にあって両側の軸部３７ａを結ぶ線上に近い一側に設けられているガイド溝３２ｅ、及び他側に設けられてガイド溝３２と対向しているガイド溝３２ｆとを有している。このうち、凹部３２ｄは、スイッチ５側の突部５６（図９（ｄ）参照）と嵌合して後述するスイッチ５を前後方向に摺動する際のガイド手段を構成している。ガイド溝３２ｅ，３２ｆは、図４のノブ８Ａを左右方向へ所定距離だけ摺動可能に組み付けるために利用される。ノブ８Ａは、ガイド溝３２ｅ，３２ｆを介して中間フィン３２に組み付けられた状態で、上記したベース８Ｂに連結されることになる。【００２９】
上記リンク機構４は、図５（ａ）〜（ｃ）及び図９（ａ）〜（ｄ）に示されるごとく第１リンク４１，４２と第２リンク４０，４３の合計４つのリンクを有している。但し、リンク機構４としては、形態例に対して、装置構造が３枚のフィン３１〜３３の構成だと第２リンク４０，４３が省略され、逆に７枚のフィンの構成だとあと２つのリンクを追加することになる。【００３０】
図９（ａ）〜（ｄ）において、最下段のリンク４０は、１番目のリンクであり、一端部４０ａに設けられた軸孔４５ａと、他端部４０ｂの段差部に設けられた軸孔４５ｂとを有している。リンク４１は、２番目のリンクであり、一端部４１ａに設けられて軸孔４５ｂと連通される軸孔４６ａと、他端部４１ｂの段差部に設けられた軸部４９ｂとを有している。リンク４２は、３番目のリンクであり、一端部４２ａに設けられた軸孔４７ａと、他端部４２ｂの段差部に設けられて軸部４９ｂと背中合わせに配置される軸部４９ａとを有している。最上段のリンク４３は、４番目のリンクであり、一端部４３ａに設けられた軸孔４８ａと、他端部４１ｂの段差部に設けられて軸孔４７ａと連通される軸孔４８ｂとを有している。【００３１】
そして、装置構造が上記した３枚のフィン３１〜３３の場合だと、第１リンク４１と４２は、軸孔４６ａに第１フィンを構成しているフィン３１の軸部３６ｂを回動自在に嵌合し、軸孔４７ａに第１フィンを構成しているフィン３３の軸部３８ｂを回動自在に嵌合した状態で、互いの他端部４１ｂ，４２ｂを後述するスイッチ５の連結部５１に回動可能に連結される。これにより、フィン３１と３３は、中間フィン３２に対し略平行に配された平行送風モードと、反対方向に回動された拡散送風モードとにスイッチ５を介して調整切換可能となる。【００３２】
装置構造がこの例のごとく５枚のフィン３０〜３４の場合だと、上記に加えて、第１フィンを構成しているフィン３１の軸部３６ｂを軸孔４５ａ，４６ａに回動自在に嵌合し、第１フィンを構成しているフィン３３の軸部３８ｂを軸孔４８ｂ，４７ａに回動自在に嵌合し、更に第２フィンを構成しているフィン３０の軸部３５ｂを軸孔４５ａに回動自在に嵌合し、第２フィンを構成しているフィン３４の軸部３９ｂを軸孔４８ａに回動自在に嵌合する。これにより、フィン３０，３１とフィン３３，３４は、中間フィン３２に対し略平行に配された平行送風モードと、反対方向に回動された拡散送風モードとにスイッチ５を介して調整切換可能となる。【００３３】
以上のスイッチ５は、図４と図５（ａ）〜（ｃ）及び図９（ａ）〜（ｄ）に示されるごとく概略Ｕ形状であり、内側に中間フィン３２の左端部３２ｂを配置する本体５０と、本体５０の前側に一体化された連結部５１とからなる。このうち、本体５０は、Ｕ形の対向した内面にそれぞれ設けられて、中間フィン３２の凹部３２ｄに嵌合する凸部５６を有している。この凸部５６は、凹部３２ｄとでスイッチ５を前後動するためのガイド手段を構成している。【００３４】
連結部５１は、図９（ｄ）のごとく左右中間の縦溝５２を介して２分割したリンク用挟持片部５３，５４を形成している。各挟持片部５３，５４には、同軸線上に横向きの軸孔５３ａ，５４ａが設けられている。そして、以上の軸孔５３ａ，５４ａには、上記したリンク４１と４２が互いの他端４１ｂ，４２ｂを重ねた状態で対応する軸部４９ａ，４９ｂが嵌合される。これにより、この構造では、第１フィン３１と３３が互いにスイッチ５を介して連結された第１リンク４１と４２（２番目のリンク４１と３番目のリンク４２）により、図５（ａ）〜（ｃ）の平行送風モードと図６（ａ）〜（ｃ）の拡散送風モードとに切換可能となる。【００３５】
（作動）以下、以上のように作製された風向調整装置１の主な作動について言及する。
（１）、図１（ａ）と図２（ａ）（ｂ）及び図５（ａ）〜（ｃ）は、各フィン３０〜３４が互いに略平行となる平行送風モードの状態である。この状態では、各リンク４０〜４３が直線状に配置されていると共に、スイッチ５が外側へ突出する方向へ移動されている。この構造では、平行送風モードにおいて、スイッチ５が安全性に対する配慮からノブ８Ａの突出量よりも小さく設定されている。【００３６】
（２）、図１（ｂ）と図３（ａ）（ｂ）及び図６（ａ）〜（ｃ）は、平行送風モードの状態から、スイッチ５が図５（ａ）の矢印方向へ最大まで押されて、フィン３０，３１とフィン３３，３４が反対方向に回動された拡散送風モードの状態である。この状態では、まず、スイッチ５に対し軸孔５４ａ，５３ａと軸部４９ａ，４９ｂとの嵌合により作動連結されている第１リンク４１，４２が図６（ｃ）の中間に描かれた矢印方向、つまり後方へ水平移動され、リンク４１又は４２に作動連結されている第２リンク４０，４３が同図の上下に描かれた矢印方向へ垂直移動されている。勿論、フィン３０，３１やフィン３３，３４の回動角は、スイッチ５の移動量に比例した角度となり多様な拡散送風態様が得られる。【００３７】
（３）、拡散送風モードから再び水平送風モードに戻す場合は、スイッチ５を摘んで引き操作つまり中間フィン３２の板幅方向である前方移動することにより再び水平送風モードに戻される。他の方法は、フィン３０，３１，フィン３３，３４の一つを摘んでそのファンを直に回動することによっても、拡散送風モードから平行送風モードに切換可能である。このため、以上の構造では使い勝手にも優れている。【００３８】
（４）、この形態例では、図９（ｄ）に示すように、上記したスイッチの凸部５６の形状を連結部５１側から後端部５０ａに向かって次第に低く形成したり、凸部５６の長手方向の中間に小凸部５８を形成することにより、スイッチ５が図５（ａ）〜（ｃ）の初期位置及び図６（ａ）〜（ｃ）の移動後の押し込め位置において中間フィン３２に対してがたつかないよう工夫されている。但し、これらは省略したり変更可能である。【００３９】
（５）、この形態例では、スイッチ５が中間フィン３２の板幅方向に前後動可能に組み付けられていることから、スイッチ自体が偏平でコンパクト化し易く、しかもスイッチ５を配置する空間を最小限に抑えることができる。しかも、上記したスイッチ５と中間フィン３２との間に凹凸３２ｄ，５６などの簡易なガイド手段を追加し易い点でも優れている。【００４０】
（６）、この形態例では、中間フィン３２が第１リンク４１，４２の対応する端部４１ｂ，４２ｂ同士を移動可能に配置する比較的大きな切欠部３２ｃを有しているため、例えば、第１リンク４１，４２の他端４１ｂ，４２ｂとスイッチ５との連結部５１をその切欠部３２ｃに配した図５（ｂ）の状態で水平送風モードとすることで連結部用の配置空間を最小限に抑えることができる。【００４１】
（構造２）形態例２の風向調整装置１０は、図１０〜図１５（ｃ）に示されるごとく、空気を内部から外へ吹き出すよう設定されたケース１２と、ケース１２内の前開口付近の左右に対向している軸受用ブラケット１７Ａ，１７Ｂ（１７）に対し回動可能に枢支された横型フィン１３と、ケース１２内で前開口奥側の上下に対向している軸受用ブラケット１９Ａ，１９Ｂ（１９）に対し上下端を回動可能に枢支された複数（この例では７枚）の縦型フィン１６Ａ〜１６Ｇ（１６）と、各フィン１６のうち２以上のフィンを連動させるリンク機構１４及び操作用ノブ１８とを備えている。【００４２】
そして、作動特徴として、横型フィン１３については、図１５（ａ）〜（ｃ）のごとく板幅の前側を支点として後側が上下に所定角だけ回動し風向きを調整切換可能となっている。縦型フィン１６Ａ〜１６Ｇ（１６）については、互いに略平行となる平行送風モード（図１２（ａ）〜（ｄ）参照）と、２以上のフィン（この例では第１フィンであるフィン１６Ｃ，１６Ｅ、及び第２フィンであるフィン１６Ｂ，１６Ｆ、並びに第３フィンであるフィン１６Ａ，１６Ｇである。変形例としては、フィン１６が５枚構成の例だと、第３フィンであるフィン１６Ａ，１６Ｇが省略されることになる）を互いに反対方向に回動した拡散送風モード（図１３（ａ）〜（ｄ）参照）とをノブ１８を介して調整切換可能となっている。加えて、各縦型フィン１６Ａ〜１６Ｇは、平行送風モードの状態でノブ１８を横つまり左又は右側への移動操作により同方向へ回動して支持部であるブラケット１７Ａ，１７Ｂと非平行となる傾斜送風モードに切り換えられる。【００４３】
以上の風向調整装置１０において、要部は、ノブ１８が横型フィン１３に支持されると共に、縦型フィン１６のうち中間フィン１６Ｄに連結された状態で前後及び左右に移動可能となっている点と、リンク機構１４が中間フィン１６Ｄと、中間フィン１６Ｄの両隣に配されている第１フィン１６Ｃ，１６Ｅとをそれぞれ回動自在に連結している２つの第１リンク１４Ｂ，１４Ｃと、更に複数のフィン１６として第１フィン１６Ｃ，１６Ｅの両隣のうち、中間フィン１６Ｄと反対側に配置された第２フィン１６Ｂ，１６Ｆ、及び第２フィン１６Ｂ，１６Ｆの外側に配置された第３フィン１６Ａ，１６Ｇと、第２フィン１６Ｂ，１６Ｆ及び第３フィン１６Ａ，１６Ｇを第１フィン１６Ｃ，１６Ｅに連動ないしは同期させるための２つの第２リンク１４Ａ，１４Ｄを有している点にある。以下の説明でも、要部以外の構造については変更可能なため簡単に述べる。【００４４】
なお、ケース１２を構成している本体１２Ａ及び前枠１２Ｂと、横型フィン１３と、縦型フィン１６を構成している各フィン１６Ａ〜１６Ｇと、リンク機構１４を構成している各リンク１４Ａ〜１４Ｄと、ノブ１８を構成している上ノブ１８Ａ及び下ノブ１８Ｂと、支持部である左右のブラケット１７Ａ，１７Ｂ（１７）及び第２支持部である上下のブラケット１９Ａ，１９Ｂ（１９）とは全て樹脂品であるが、樹脂以外でも差し支えない。【００４５】
ケース１２は、概略筒形の本体１２Ａと、本体１２Ａの前側に装着される化粧枠である前枠１２Ｂとにより内空間１２Ｃを区画形成している。本体１２Ａ及び前枠１２Ｂは、前枠側の片部１２ｂが本体側の受け部１２ａに係合されることで位置決めされ、また、前枠側の連結片１２ｄが本体側の係止部１２ｃに係合されることで一体物のケース１２となる。そして、ケース１２は、前枠１２Ｂに設けられた取付部１２ｅなどを利用して車両等の設置部に装着される。内空間１２Ｃは、前後方向に開口しており、前枠１２Ｂ側が空気吹出口として、後端側が空気吸入口として設定されている。【００４６】
内空間１２Ｃには、横型フィン用のブラケット１７Ａ，１７Ｂが本体左右の内側面に装着され、縦型フィン用のブラケット１９Ａ，１９Ｂが本体上下の内面に装着されている。ブラケット１７Ａ，１７Ｂには、前側（空気を外へ吹き出す側）の軸孔１７ａと後側（内空間の奥側）の円弧溝１７ｂとがそれぞれ対向して設けられている（図１１参照）。円弧溝１７ｂは、軸孔１７を中心とした緩い円弧状となっている。一方、ブラケット１９Ａ，１９Ｂには、７つの軸孔１９ａ〜１９ｇが上下に対向した状態に形成されている。各軸孔１９ａ〜１９ｂは略等間隔に設けられている。軸孔１９ａ〜１９ｃ及び軸孔１９ｅ〜１９ｇは単純な貫通孔である。これに対し、中間の軸孔１９ｄは、概略凹状の溝形、つまり後述する中間フィン１６Ｄの軸部１６ａをブラケット板幅方向に移動可能な蟻溝形状に形成されている。【００４７】
フィン１６Ａ〜１６Ｇは、上下の端面にあって板幅方向の略中間にそれぞれ同軸線上に突出された軸部１６ａと、上端面にあって軸部１６ａを突出していない後側を一段低い段差に形成し、その段差に突設されている軸部１６ｂとを有している。各軸部１６ａのうち、フィン１６Ａ〜１６Ｃ及び１６Ｅ〜１６Ｇの上下の軸部１６ａは単純な凸形状に形成されている。これに対し、中間フィン１６Ｄの上下の各軸部１６ａは、上記した軸孔１９ｄの蟻溝形状に沿って移動可能となる径小首付きとなっている。フィン１６Ａ〜１６Ｃ及び１６Ｅ〜１６Ｇは、上下の軸部１６ａがブラケット１９Ａ，１９Ｂの対応する円形状の軸孔１９ａ〜１９ｇに嵌合した状態で回動自在に支持される。中間フィン１６Ｄは、上下の各軸部１６ａがブラケット１９Ａ，１９Ｂの蟻溝形状の軸孔１９ｄに回動自在かつ前後動自在に支持される。【００４８】
また、フィン１６Ａ〜１６Ｇは、リンク機構１４を構成している４つのリンク１４Ａ〜１４Ｄにより作動連結されている。この例では、左右中間に位置する中間フィン１６Ｄと、中間フィン１６Ｄの両隣に配されている第１フィン１６Ｃ，１６Ｅとが２つの第１リンク１４Ｂ，１４Ｃにより回動可能に連結されている。一方の第１フィン１６Ｃと、第１フィン１６Ｃの外側にある第２フィン１６Ｂ及び第２フィン１６Ｂの外側にある第３フィン１６Ａとは第２リンク１４Ａにより回動可能に連結されている。他方の第１フィン１６Ｅと、第１フィン１６Ｅの外側にある第２フィン１６Ｆ及び第２フィン１６Ｆの外側にある第３フィン１６Ｇとは第２リンク１４Ｄにより回動可能に連結されている。また、中間ファン１６Ｄには、円弧溝１６ｄが板幅方向の前側にあって上下方向に設けられており、円弧溝１６ｄと前縁部分との間が把持可能な片部１６ｃとなっている。なお、第１フィン１６Ｃ，１６Ｅ、及び片部１６ｃの前縁側は円弧状に形成されている。【００４９】
詳述すると、第１リンク１４Ｂ，１４Ｃは、両端側に設けられた軸孔１４ａ，１４ａを有している。そして、一方の第１リンク１４Ｂは、一端側の軸孔１４ａが第１フィン１６Ｃの軸部１６ｂと嵌合し、他端側の軸孔１４ａが中間フィン１６Ｄの軸部１６ｂと嵌合している。他方の第１リンク１４Ｃは、一端側の軸孔１４ａが中間フィン１６Ｄの軸部１６ｂと嵌合され、他端側の軸孔１４ａが第１フィン１６Ｅの軸部１６ｂと嵌合している。また、第２リンク１４Ａ，１４Ｄは、第１リンク１４Ｂ，１４Ｃより長くなっており、両端側及び中間にそれぞれ設けられた３つの軸孔１４ａを有している。そして、一方の第２リンク１４Ａは、一端側の軸孔１４ａが第３フィン１６Ａの軸部１６ｂと嵌合し、他端側の軸孔１４ａが第１フィン１６Ｃの軸部１６ｂと嵌合し、中間の軸孔１４ａが第２フィン１６Ｂの軸部１６ｂと嵌合している。他方の第２リンク１４Ｄは、一端側の軸孔１４ａが第３フィン１６Ｇの軸部１６ｂと嵌合し、他端側の軸孔１４ａが第１フィン１６Ｅの軸部１６ｂと嵌合し、中間の軸孔１４ａが第２フィン１６Ｆの軸部１６ｂと嵌合している。【００５０】
上記した横型フィン１３は、ブラケット１７Ａ及び１７Ｂとの間に回動可能に支持される。つまり、横型フィン１３は、左右の各側面にそれぞれ突設された軸部１３ａ及び軸部１３ｂと、左右の中間部にあって後側に設けられた逃がし用開口１３ｃ及び開口１３ｃの縁部を含んで手前側を一段肉厚に形成した規制部１３ｄ並びに規制部１３ｄの中間に設けられた穴部１３ｅとを有している。そして、横型フィン１３は、ブラケット１７Ａ，１７Ｂに対して、両側の軸部１３ａが対応する軸孔１７ａに嵌合された状態で、同ブラケット間に略平行に配置されると共に、両側の軸部１３ｂが円弧状のガイド孔１７ｂに嵌合されている。このため、横型フィン１３は、板幅方向の後側が軸部１３ａを支点として円弧状のガイド孔１７ｂに応じて所定角だけ上下方向に回動可能に支持されている。なお、穴部１３ｅには必要に応じて不図示の弾性体が装着される。該弾性体は後述する操作用ノブ１８に適度に圧接することで、ノブ１８が振動などで不用意にずれないようにする部材である。【００５１】
つまり、横型フィン１３には、ノブ１８が所定寸法だけ前後動可能、かつ最前方位置で所定寸法だけ左右に横移動可能に組み付けられる。ノブ１８は、フィン１３を上下から挟み込む上ノブ１８Ａ及び下ノブ１８Ｂと、両ノブ１８Ａ，１８Ｂの間にあって前側に装着される化粧ノブ１８Ｃとで構成されている。上下ノブ１８Ａ，１８Ｂは、後縁の左右中間に突設された略Ｌ形の片部１８ａと、対向内面に設けられて規制部１３ｄを逃がすと共にノブ１８の移動範囲を規制する段差部１８ｂと、下ノブ１８Ｂの内面前側にそれぞれ設けられて化粧ノブ１８Ｃを位置決めする壁部１８ｃ及び壁部１８ｃの後側に設けられて化粧ノブ１８Ｃの両端側を係止する掛止壁１８ｄと、壁部１８ｃの両側に設けられて上ノブ側の係止部（不図示）に係合する爪部１８ｅと、下ノブ１８Ｂの内面後側に設けられて上ノブ側の対応部に係合する係合部１８ｆなどを有している。【００５２】
以上のノブ１８は、例えば、化粧ノブ１８Ｃが下ノブ１８Ｂに対して掛止壁１８ｃに両端部を係止して取り付けられる。その後、上下ノブ１８Ａ，１８Ｂは、フィン１３を上下から挟み込むよう重ねられると、下ノブ側の爪部１８ｅ及び係合部１８ｆが上ノブ１８Ａの対応部にそれぞれ係合することで一体化される。このノブ組立時には、図１２（ｃ）に示されるごとく上下ノブの各片部１８ａが中間フィン１６Ｄの円弧溝１６ｄに配置される。このため、ノブ１８は、上下ノブ１８Ａ，１８Ｂが一体化された状態において、各片部１８ａの内側に中間フィン１６Ｄの片部１６ｃを拘束し、その拘束態様により中間フィン１６Ｄに連結ないしは連携されている。【００５３】
（作動）以下、以上のように作製された風向調整装置１０の主な作動について言及する。
（１）、図１２（ａ）〜（ｄ）及び図１５（ａ）〜（ｃ）は、各フィン１６Ａ〜１６Ｇがブラケット１７に略平行となり、かつ、互いに略平行となる平行送風モードの状態である。この状態では、各リンク１４Ａ〜１４Ｄが直線状に配置されていると共に、ノブ１８が横型フィン１３の略左右中間に配置されている。換言すると、平行送風モードでは、ノブ１８が横型フィン１３に対して図１２（ａ）〜（ｄ）の通常位置、つまり段差部１８ｂの横方向に長くなった中間箇所に規制部１３ｄの手間側横部分を位置した状態となっている。【００５４】
（２）、図１３（ａ）〜（ｄ）は、平行送風モードの状態から、ノブ１８が図１３（ｂ）の矢印方向へ最大まで引っ張られて、フィン１６Ａ〜１６Ｃとフィン１６Ｅ〜１６Ｇが反対方向に回動された拡散送風モードの状態である。換言すると、ノブ１８は、横型フィン１３に対して図１２（ａ）〜（ｄ）の通常位置から手前側である図１３（ｂ）の最前方位置、つまり段差部１８ｂの後側端面が規制部１３ｄの手前側対応端面に当たるまで移動されると、中間フィン１６Ｄがノブ１８に引っ張られて軸孔１９ｄの蟻溝形状に沿って前方移動される。中間フィン１６Ｄは、その前方移動により、ブラケット１７と略平行な状態を維持して片部１６ｃないしは前側が開口１３ｃ内に入って逃がされる。これと同期して、他のフィン１６Ａ〜１６Ｃは第１リンク１４Ｂ及び第２リンク１４Ａを介し、フィン１６Ｅ〜１６Ｇは第１リンク１４Ｃ及び第２リンク１４Ｅを介しそれぞれ互いに反対方向に回動した拡散送風モードに切り換えられる。勿論、フィン１６Ａ〜１６Ｃやフィン１６Ｅ〜１６Ｇの回動角は、ノブ１８の引張り量に比例した角度となり多様な拡散送風態様が得られる。【００５５】
（３）、拡散送風モードから再び水平送風モードに戻す場合は、ノブ１８を摘んで押し操作すると、中間フィン１６Ｄが元の通常位置まで移動される。それと同期して、他のフィン１６Ａ〜１６Ｇも対応するリンク１４Ａ〜１４Ｄを介してブラケット１７と略平行な状態である水平送風モードに切り換えられる。他の方法は、フィン１６Ａ〜１６Ｃやフィン１６Ｅ〜１６Ｇの一つを摘んでそのファンを直に回動することによっても、拡散送風モードから平行送風モードに切換可能である。このため、以上の構造では使い勝手にも優れている。【００５６】
（４）、図１４（ａ）〜（ｄ）は、平行送風モードの状態から、ノブ１８が図１４（ｃ）の矢印方向へ最大まで横移動されて、全てのフィン１６Ａ〜１６Ｇがブラケット１７と非平行で、ほぼ同じ方向に回動され傾斜された傾斜送風モードの状態である。換言すると、ノブ１８は、通常位置である平行送風モードの状態において、横方向である右又は左側、つまり段差部１８ｂの左右に伸びている箇所の端面が規制部１３ｄの手前側対応端面に当たるまで移動されると、中間フィン１６Ｄが上下の軸部１６ｂを支点としてノブ１８の移動方向に応じた向きへ回動されて、ブラケット１７と非平行となる傾斜状態となる。これと同期して、他のフィン１６Ａ〜１６Ｃは第１リンク１４Ｂ及び第２リンク１４Ａを介し、フィン１６Ｅ〜１６Ｇは第１リンク１４Ｃ及び第２リンク１４Ｅを介しそれぞれフィン１６Ｄと同方向へ回動されてブラケット１７と非平行となる傾斜送風モードに切り換えられる。なお、この傾斜送風モードは、各フィン１６Ａ〜１６Ｇがノブ１８の横移動の度合い、ないしは各フィン１６の回動度合いに応じた角度となるため首振り送風モードと称されることもある。【００５７】
（５）、以上の形態例では、ノブ１８が単一の横型フィン１３に対し前後及び左右に移動可能に支持されているためノブの支持構造を簡略化でき、図１５（ａ）〜（ｃ）のごとくブラケット１７に対する横型フィン１３の回動構成を工夫するだけでそのフィン１３の姿勢に応じて更に送風態様を変化可能となる。すなわち、図１５（ｂ）はフィン１３が同図の矢印方向である下向きに押された状態を示している。この場合、フィン１３は、両側のブラケット１７に対し軸部１３ｂが円弧溝１７ｂの溝上内端に軸部１３ｂが当たって規制されるまで、軸部１３ａを支点として逆時計回りに回動されて上向き傾斜の状態となっている。図１５（ｃ）はフィン１３が同図の矢印方向である下向きに押された状態を示している。この場合、フィン１３は、両側のブラケット１７に対し軸部１３ｂが円弧溝１７ｂの溝下内端に軸部１３ｂが当たって規制されるまで、軸部１３ａを支点として時計回りに回動されて下向き傾斜の状態となっている。フィン１３は、上向き傾斜の状態、下向き傾斜の状態の何れの態様でも、第１フィン１６Ｃ，１６Ｅ、及び中間フィン１６Ｄ（の片部１６ｃ）の前縁側に設けられた円弧状の曲面に軽く当接することでその状態を保っているため、矢印と逆向きに押すことで図１５（ａ）の水平状態に戻される。【００５８】
なお、本発明の風向調整装置は、独立請求項で特定される構成を備えておればよく、細部は以上の説明を参考にして変更したり展開可能なものである。その一例として、ケースとしては前枠を本体に後付けする構成を示したが、前枠を廃止したり、本体形状や前枠形状も任意である。また、形態例１では縦型フィンを省略したり、形態例２では横型フィンを動かない非可動式にすることも可能である。
2013年12月12日に出願された日本国特願2013-256623号の明細書、特許請求の範囲、図面及び要約書の全内容をここに引用し、本発明の明細書の開示として、取り入れるものである。
【図１】
2015087975.tif 000003
【図２】
2015087975.tif 000004
【図３】
2015087975.tif 000005
【図４】
2015087975.tif 000006
【図５】
2015087975.tif 000007
【図６】
2015087975.tif 000008
【図７】
2015087975.tif 000009
【図８】
2015087975.tif 000010
【図９】
2015087975.tif 000011
【図１０】
2015087975.tif 000012
【図１１】
2015087975.tif 000013
【図１２】
2015087975.tif 000014
【図１３】
2015087975.tif 000015
【図１４】
2015087975.tif 000016
【図１５】
2015087975.tif 000017
【図１６】
2015087975.tif 000018
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
空気を前側開口部より外へ吹き出すよう設定されたケースと、前記ケース内の対向した支持部に対し略平行に配置され、かつ左右の両側面にあって板幅方向の一端側を回動可能に枢支された複数のフィンと、前記フィンの２以上を連動させるリンク機構及び前記リンク機構に連携されたスイッチとを備え、前記フィンが互いに略平行となる平行送風モードと、前記フィンのうち２以上を互いに反対方向に回動した拡散送風モードとを前記スイッチを介して調整切換可能な風向調整装置であって、
前記スイッチは、概略Ｕ形状であり、前記複数のフィンのうち中間に配置された中間フィンをＵ形状の内側に配置する本体と、前記本体に一体化された連結部とからなっていて前記中間フィンに移動可能に組み付けられており、
前記リンク機構は、前記中間フィンの両隣に配されている第１フィンの板幅方向の他端側に対応する一端側をそれぞれ回動自在に連結し、かつ対応する他端側を前記スイッチの連結部にそれぞれ回動自在に連結している２つの第１リンクを有していることを特徴とする風向調整装置。
【請求項２】
空気を前側開口部より外へ吹き出すよう設定されたケースと、前記ケース内の対向した支持部に対し上下の両端側を回動可能に枢支された複数のフィンと、前記フィンの２以上を連動させるリンク機構及び操作用ノブとを備え、前記フィンが互いに略平行となる平行送風モードと、前記フィンの２以上を互いに反対方向に回動した拡散送風モードとを前記ノブを介して調整切換可能な風向調整装置であって、
前記複数のフィンのうち中間に配置された中間フィンは、前記支持部に対し回動自在かつ前後動自在に支持され、
前記ノブは、前記中間フィンに連結された状態で前後及び左右に移動可能に支持されており、
前記リンク機構は、前記中間フィンの両隣に配されている第１フィンに対応する一端側をそれぞれ回動自在に連結し、かつ対応する他端側を前記中間フィンにそれぞれ回動自在に連結している２つの第１リンクを有していることを特徴とする風向調整装置。
【請求項３】
前記複数のフィンは前記第１フィンの両隣のうち、前記中間フィンと反対側に配置された第２フィンを有していると共に、前記リンク機構は前記第２フィンの板幅方向の他端側と前記第１フィンの板幅方向の他端側に異なる端部をそれぞれ回動自在に連結している２つの第２リンクを有していることを特徴とする請求項１に記載の風向調整装置。
【請求項４】
前記スイッチは、押し操作により前記中間フィンの板幅方向である後方移動して前記第１フィン、又は、前記第１フィン及び第２フィンを前記リンク機構を介して平行送風モードから拡散送風モードに切り換えることを特徴とする請求項１又は３に記載の風向調整装置。
【請求項５】
前記スイッチは、前記後方移動した状態にて、引き操作により前記中間フィンの板幅方向である前方移動することで、或いは、前記第１フィン又は前記第２フィンを直に回動することでも拡散送風モードから平行送風モードに切換可能であることを特徴とする請求項４に記載の風向調整装置。
【請求項６】
前記第１フィン及び前記第２フィンは前記第１リンクや前記第２リンクに設けられた軸孔に嵌合する軸部を形成していると共に、前記中間フィンは前記軸部に代えて前記第１リンクの対応する端部を移動可能に配置する切欠部を形成していることを特徴とする請求項３から５の何れかに記載の風向調整装置。
【請求項７】
前記複数のフィンは前記第１フィンの両隣のうち、前記中間フィンと反対側に配置された第２フィンと、前記第２フィンの両隣のうち、前記第１フィンと反対側に配置された第３フィンとを有し、
前記リンク機構は前記第１フィンと、前記第２フィンと、前記第３フィンとをそれぞれ回動自在に連結している２つの第２リンクを有していることを特徴とする請求項２に記載の風向調整装置。
【請求項８】
前記ケース内の対向した第２支持部に対し左右の両端側が回動可能に枢支された横型フィンを有し、前記ノブは前記横型フィンに対し前後及び左右に移動可能に支持されており、前方移動操作により前記第１フィン、又は、前記第１フィン及び前記第２フィン、又は、前記第１フィンから前記第３フィンを前記リンク機構を介して平行送風モードから拡散送風モードに切り換えることを特徴とする請求項７に記載の風向調整装置。
【請求項９】
前記ノブは、前記前方移動した状態にて、後方への押し操作により前記第１フィン、又は、前記第１フィン及び前記第２フィン、又は、前記第１フィンから前記第３フィンを前記リンク機構を介して拡散送風モードから前記支持部と略平行となる平行送風モードに切り換えると共に、その状態にて左又は右側への移動操作により前記各フィンを略同方向へ回動して前記支持部と非平行となる傾斜送風モードに切り換えることを特徴とする請求項７又は８に記載の風向調整装置。
【手続補正２】
【補正対象書類名】明細書
【補正対象項目名】００１０
【補正方法】変更
【補正の内容】
【００１０】
上記目的を達成するため本発明の第１観点によれば、図１〜図９に例示されるごとく、空気を前側開口部より外へ吹き出すよう設定されたケース２と、前記ケース内の対向した支持部に対し略平行に配置され、かつ左右の両側面にあって板幅方向の一端側を回動可能に枢支された複数のフィン３と、前記フィンの２以上を連動させるリンク機構及び前記リンク機構に連携されたスイッチ５とを備え、前記フィンが互いに略平行となる平行送風モードと、前記フィンのうち２以上を互いに反対方向に回動した拡散送風モードとを前記スイッチを介して調整切換可能な風向調整装置であって、前記スイッチ５は、概略Ｕ形状であり、前記複数のフィンのうち中間に配置された中間フィンをＵ形状の内側に配置する本体５０と、前記本体に一体化された連結部とからなっていて前記中間フィン３２に移動可能に組み付けられており、前記リンク機構４は、前記中間フィンの両隣に配されている第１フィンの板幅方向の他端側に対応する一端側をそれぞれ回動自在に連結し、かつ対応する他端側を前記スイッチの連結部５１にそれぞれ回動自在に連結している２つの第１リンク４１，４２を有していることを特徴としている風向調整装置が提供される。
【手続補正３】
【補正対象書類名】明細書
【補正対象項目名】００１１
【補正方法】変更
【補正の内容】
【００１１】
また、本発明の第２観点によれば、図１０〜図１５に例示されるごとく、空気を前側開口部より外へ吹き出すよう設定されたケース１２と、前記ケース内の対向した支持部１９に対し上下の両端側を回動可能に枢支された複数のフィン１６と、前記フィンの２以上を連動させるリンク機構１４及び操作用ノブ１８とを備え、前記フィンが互いに略平行となる平行送風モードと、前記フィンの２以上を互いに反対方向に回動した拡散送風モードとを前記ノブを介して調整切換可能な風向調整装置であって、前記複数のフィンのうち中間に配置された中間フィン１６Ｄは、前記支持部１９に対し回動自在かつ前後動自在に支持されており、前記ノブ１８は、前記中間フィンに連結された状態で前後及び左右に移動可能に支持されており、前記リンク機構１４は、前記中間フィンの両隣に配されている第１フィンに対応する一端側をそれぞれ回動自在に連結し、かつ対応する他端側を前記中間フィンにそれぞれ回動自在に連結している２つの第１リンク１４Ｂ，１４Ｃを有していることを特徴としている風向調整装置が提供される。
【手続補正４】
【補正対象書類名】明細書
【補正対象項目名】００１６
【補正方法】変更
【補正の内容】
【００１６】
本発明の第１観点による風向調整装置では、複数のフィンのうち、２以上のフィンを連動させるリンク機構及びリンク機構に連携されたスイッチを備え、フィンが互いに略平行となる平行送風モードと、２以上のフィンを互いに反対方向に回動した拡散送風モードとを調整切換可能にする構造として、スイッチが概略Ｕ形状であり中間フィンをＵ形状の内側に配置する本体及び本体に一体化された連結部とからなっていてスイッチを中間フィンに移動可能に組み付けている構成と、リンク機構として中間フィンの両隣に配されている第１フィンに対応する一端側をそれぞれ回動自在に連結し、かつ対応する他端側をスイッチの連結部にそれぞれ回動自在に連結している２つの第１リンクの構成にて実施できる。一方、請求項２の発明では、複数のフィンのうち、２以上のフィンを連動させるリンク機構及操作用ノブを備え、フィンが互いに略平行となる平行送風モードと、２以上のフィンを互いに反対方向に回動した拡散送風モードとを調整切換可能にする構造として、中間フィンを対向した支持部に対し回動自在かつ前後動自在に支持する構成と、ノブを中間フィンに連結する構成と、リンク機構として中間フィンの両隣に配されている第１フィンに対応する一端側をそれぞれ回動自在に連結し、かつ対応する他端側を中間フィンにそれぞれ回動自在に連結している２つの第１リンクの構成にて実施できる。
【手続補正５】
【補正対象書類名】明細書
【補正対象項目名】００２８
【補正方法】変更
【補正の内容】
【００２８】
更に、中間フィン３２は、図８に示されるごとく、左端部３２ｂにあって切欠部３２ｃと対応する周囲部分に設けられている凹部３２ｄと、左右中間部にあって両側の軸部３７ａを結ぶ線上に近い一側に設けられているガイド溝３２ｅ、及び他側に設けられてガイド溝３２と対向しているガイド溝３２ｆとを有している。このうち、凹部３２ｄは、スイッチ５側の凸部５６と嵌合して後述するスイッチ５を前後方向に摺動する際のガイド手段を構成している。ガイド溝３２ｅ，３２ｆは、図４のノブ８Ａを左右方向へ所定距離だけ摺動可能に組み付けるために利用される。ノブ８Ａは、ガイド溝３２ｅ，３２ｆを介して中間フィン３２に組み付けられた状態で、上記したベース８Ｂに連結されることになる。
【国際調査報告】
2015087975.tif 000019
2015087975.tif 000020
2015087975.tif 000021
2015087975.tif 000022